(57)【特許請求の範囲】
【請求項１】
絶縁膜が形成された相手部材との電気的導通をとって使用されるアースボルトであって、
ネジ部と頭部とを有し、前記頭部の座面から突出し前記絶縁膜を剥ぎ取り可能な前記ネジ部の外側に円環状に形成された突起部を備え、
前記突起部の外側に隣接し前記座面から窪んで円環状に形成され、前記突起部によって剥ぎ取られた前記絶縁膜を収納可能な第１溝部を備え、
前記ネジ部は、ネジ山部に半径方向の外方へ突出し、相手となるナットの雌ネジ部に形成される第２絶縁膜を剥ぎ取り可能なネジ突起部を備え、
前記突起部は、回転させることによって前記絶縁膜を剥離するとともに、前記突起部の内側を外側から水密にする
ことを特徴とするアースボルト。
【請求項２】
前記突起部の外側に隣接し前記座面から窪んで円環状に形成され、前記突起部によって剥ぎ取られた前記絶縁膜を収納可能な第１溝部を備える
ことを特徴とする請求項１に記載のアースボルト。
【請求項３】
前記突起部の内側に隣接し前記座面から窪んで円環状に形成され、前記突起部によって剥ぎ取られた前記絶縁膜を収納可能な第２溝部を備える
ことを特徴とする請求項１に記載のアースボルト。
【請求項４】
前記第１溝部に対して外側にある外側座面が、前記第１溝部に対して内側にある内側座面よりも前記ネジ部の先端側に向かって高く形成されている
ことを特徴とする請求項１に記載のアースボルト。
【請求項５】
断面視において、前記突起部は三角形状を有し、前記三角形状の頂部を挟む第１辺が前記第１溝部を形成する斜辺を形成する
ことを特徴とする請求項１に記載のアースボルト。
【請求項６】
断面視において、前記突起部は三角形状を有し、前記三角形状の頂部を挟む第１辺が前記第１溝部を形成する斜辺を形成し、前記三角形状の頂部を挟む第２辺が前記第２溝部を形成する斜辺を形成する
ことを特徴とする請求項３に記載のアースボルト。
【請求項７】
前記座面から突出し前記突起部の外側に円環状に形成され、前記突起部の突起の高さよりも低い突起の高さを有する補助突起部を備える
ことを特徴とする請求項１に記載のアースボルト。
【請求項８】
前記ネジ部は、ネジ山部に半径方向の外方へ突出し、相手となるナットの雌ネジ部に形成される第２絶縁膜を剥ぎ取り可能なネジ突起部を備える
ことを特徴とする請求項１に記載のアースボルト。
【請求項９】
前記ネジ突起部は、前記ネジ部の前記ネジ山部毎に複数形成されており、前記複数のネジ突起部は、前記ネジ部の軸線方向に対して螺旋状に配列されている
ことを特徴とする請求項１に記載のアースボルト。
【請求項１０】
前記ネジ突起部は、前記ネジ部の前記ネジ山部を押し潰して凹部を形成しこの凹部の両側に形成される盛り上がり部によって形成されている
ことを特徴とする請求項１に記載のアースボルト。
【発明の詳細な説明】
【技術分野】
【０００１】
本発明は、自動車等の筐体に電気機器を取り付ける場合に、締付けと同時に通電を行うのに使用されるアースボルトに関する。
【背景技術】
【０００２】
自動車等の筐体に電気機器を取り付ける場合に、締付けと同時に通電を行うことが要請され、アースボルトが使用される。
【０００３】
従来のアースボルトを使用する工法においては、以下のような方法で工数とコストをかけて行われていた。
【０００４】
フレームの塗装を剥がし、ボルトでアース板をフレームに接続する工法である。また、ねじ部に切欠きのあるボルトで、フレームに取り付けためねじにねじ込むことで塗装を剥がし、アース端子を接続する工法もある。
【０００５】
しかしながら、上述の従来のアースボルトにおいては、以下のような問題があった。塗装を剥がしたりマスキングによる工数がかかり、作業性が悪い。アース端子や配線やプレートが使用されるので、コストがかかる。固定用ボルトが複数本使用されることが多く、コストがかかる。
【０００６】
また、従来において、自動車等の筐体に電気機器を取り付ける場合に、締付けと同時に通電を行うだけでなく、水密性をとることも行われていた。特許文献１では、グラウンド電極としてのパッド部を設け、押圧することで電気的に接続しており、水密性をとるためには、電気的な接続とは別に突条部を設けることによって、水の侵入を抑制していた。
【先行技術文献】
【特許文献】
【０００７】
【特許文献１】特開２００９−２４６７４０
【発明の概要】
【発明が解決しようとする課題】
【０００８】
しかしながら、締付けと同時に有効な通電および水密性を採る場合に、従来のアースボルトにおいては、次のような問題点があった。
【０００９】
押圧することで電気的に接続する機能と水密性をとるための機能とが別々に設けらているので、導通作用と水密作用とが独立的に行われ、通電性の確保と水密性の確保とが、同時的に行うことができない。
【００１０】
そこで、本発明の目的は、上記従来技術の有する問題を解消し、締付けと同時に、通電性及び水密性を確保することが可能であり、剥離塗装片を外部へ飛散させないように抱え込み可能なアースボルトを提供することである。
【課題を解決するための手段】
【００１１】
上記目的を達成するために、本願のアースボルトは、絶縁膜が形成された相手部材との電気的導通をとって使用されるアースボルトであって、ネジ部と頭部とを有し、前記頭部の座面から突出し前記絶縁膜を剥ぎ取り可能な前記ネジ部の外側に円環状に形成された突起部を備えることを特徴とする。
【発明の効果】
【００１２】
本発明の構成によれば、突起部は座面から突出しているので、突起部を回転させることによって相手部材の絶縁膜を押圧して剥離し相手部材との電気的導通をとることが可能になるとともに、突起部はネジ部の外側に切れ目がなく円環状に形成されているので、突起部の内側を外側から水密にすることができる。
【発明の実施の形態】
【００１３】
以下に図面を参照して本発明の実施の形態について説明する。  
図１乃至図４は、本願発明に係るアースボルト１の第１の実施形態を示す。  
図１及び図２において、アースボルト１は、絶縁膜２１が形成された相手部材２０との電気的導通をとって使用されるものであり、頭部２とネジ部３とを有し、頭部２の座面４から突出しネジ部３の外側に途切れのない円環状に形成された突起部５を備えている。絶縁膜２１を除けば、相手部材２０は金属材で形成されている。アースボルト１も金属材で形成されている。
【００１４】
図３は、アースボルト１を表面に絶縁膜２１が形成された相手部材２０との配置関係を示す。アースボルト１をナット１８に対し締め付けることによって、突起部５は絶縁膜２１へ押し付け回転し、絶縁膜２１が剥ぎ取られる。
【００１５】
図４に示すように、突起部５の外側に隣接し座面４から窪んで円環状に形成された第１溝部６と、突起部５の内側に隣接し座面４から窪んで円環状に形成され第２溝部７とを備えている。第１溝部６と第２溝部７とは、断面視において、下方へ裾広がりの台形状を有する。
【００１６】
断面視において、前記突起部は三角形状を有し、この三角形状は頂部を挟む第１辺８と第２辺９とを有する。第１辺８はネジ部３の軸心に対し外側にあり、第２辺９はネジ部３の軸心に対し内側にある。第１辺８は第１溝部６の台形状の内側斜辺とを形成し、第２辺９は第２溝部７の台形状の外側斜辺を形成する。
【００１７】
図４に示すように、突起部５によって絶縁膜２１が剥ぎ取られると、アースボルト１と相手部材２０との間には、突起部５を介して電気的導通が採られると同時に、突起部５は円環状で途切れがないので、突起部５の内側を外側に対し、水密にすることができる。
【００１８】
また、突起部５によって絶縁膜２１が剥ぎ取られた絶縁膜２２は、突起部５の第１辺８に案内されて第１溝部６に収納され、また、突起部５の第２辺９は案内されて第２溝部７に収納される。
【００１９】
以上述べたように、本実施の形態によれば、突起部５は座面４から突出しているので、突起部５を回転させることによって相手部材２０の絶縁膜２１を押圧して剥離し相手部材２０との電気的導通をとることが可能になるとともに、突起部５はネジ部３の外側に切れ目がなく円環状に形成されているので、突起部５の内側を外側から水密にすることができる。
【００２０】
また、突起部５の外側に隣接し座面４から窪んで円環状に形成された第１溝部６を備えるので、突起部５によって剥ぎ取られた絶縁膜２２を第１溝部６に収納することができ、剥離された絶縁膜片を飛散放置することを回避することができる。
【００２１】
また、突起部５の内側に隣接し座面４から窪んで円環状に形成され、突起部５によって剥ぎ取られた絶縁膜２２を収納可能な第２溝部７をさらに備えるので、突起部５によって剥ぎ取られた絶縁膜２２を突起部５の内側と外側の両側で確実に収納することができる。
【００２２】
また、断面視において、突起部５は三角形状を有し、三角形状の頂部を挟む第１辺８が第１溝部６を形成する斜辺を形成し、三角形状の頂部を挟む第２辺９が第２溝部７を形成する斜辺を形成するので、突起部５によって剥ぎ取られた絶縁膜２２を第１辺８と第２辺９によって案内させて、第１溝部６と第２溝部７に確実に収納することができる。
【００２３】
次に、図５を参照して本願発明の第２の実施の形態について説明する。  
本実施の形態においては、頭部２の座面４から突出しネジ部３の外側に途切れのない円環状に形成された突起部５を備えている。突起部５に隣接して図３に示す第１溝部６等は形成されていない。
【００２４】
絶縁膜２１が非常に薄い場合には、剥ぎ取られた絶縁膜２２の量が少ないので放置しても害を生じ無い場合があり、このような場合には、突起部のみを備えた簡易な構成で足りる場合に、有効である。
【００２５】
本実施の形態によれば、アースボルト１を簡易に製造することができるとともに、突起部５によって、締付けと同時に通電性及び水密性を確保することができる。
【００２６】
次に、図６を参照して本願発明の第３の実施の形態について説明する。  
本実施の形態においては、アースボルト１は、突起部５と第１溝部６を備えており、図３に示す場合と異なり、第２溝部７は設けられていない。
【００２７】
絶縁膜２１が比較的に薄い場合には、剥ぎ取られた絶縁膜２２の量が無視可能な程には少ない場合に、剥ぎ取られた絶縁膜２２を放置することなく、第１溝部６のみで収納回収する。
【００２８】
本実施の形態によれば、アースボルト１を比較的に簡易に製造することができ、また、突起部５によって締付けと同時に通電性及び水密性を確保することができるとともに、第１溝部６によって剥ぎ取られた絶縁膜２２を収納回収することができる。
【００２９】
次に、図７を参照して本願発明の第４の実施の形態について説明する。  
本実施の形態においては、アースボルト１は、突起部５と第１溝部６を備えている。また、第１溝部６に対して外側にある外側座面１０が、第１溝部６に対して内側にある内側座面１１よりもネジ部３の先端側に向かって高く形成されている。内側座面１１と補間２１との間には、アースボルト１を締め付けた状態で、隙間１２が形成されている。
【００３０】
突起部５と第１溝部６の外側で、内側座面１１よりも優先的にまず外側座面１０が絶縁膜２１に接触し、外側座面１０の広い面積に渡って絶縁膜２１を押圧することができる。これによって、突起部５により水密性を実に確保することに加えて、外側座面１０によって水密性をさらに確実に確保することができる。
【００３１】
次に、図８を参照して本願発明の第５の実施の形態について説明する。  
本実施の形態においては、アースボルト１は、突起部５の外側に座面４から突出した円環状の補助突起部１３を備えている。補助突起部１３は、突起部５の突起の高さよりも低い突起の高さを有する。
【００３２】
アースボルト１は補助突起部１３を備えるので、補助突起部１３によって絶縁膜２１を深さ方向に一部または全部剥離することで水密性を確保することができ、同時に、突起部５によって絶縁膜２１を深さ方向に十分に剥離することで電通性と水密性を確保することができ、水密性をより確実に確保することができる。
【００３３】
次に、図９乃至図１１を参照して本願発明の第６の実施の形態について説明する。  
図９及び図１０に示すように、本実施の形態に係るアースボルト１５においては、アースボルト１に加えて、ネジ部３は、ネジ山部１６の一部に半径方向の外方へ突出するネジ突起部１７を備えている。ネジ突起部１７は、ネジ部３のネジ山部１６毎に複数形成されており、複数のネジ突起部１７は、ネジ部３の軸線方向に対して螺旋状に配列されている。
【００３４】
また、一つのねじ山部１６には、間隔をおいて複数のネジ突起部１７が形成されており、この結果、図９及び図１０に示すように、複数列の螺旋状に配列されている。ネジ突起部部１７は、ネジ部３のネジ山部１６を押し潰して凹部１７ａを形成しこの凹部１７ａの両側に形成される盛り上がり部１７ｂによって形成されている。ネジ突起部部１７をこのようにして形成することによって、図９及び図１０に示すように、ネジ突起部部１７が複数列の螺旋状に配列されている場合においても、ネジ山部１６を押し潰すだけで簡易にネジ突起部部１７を形成することができる。
【００３５】
図１１に、アースボルト１５のネジ部３を拡大して示す。図１１において、わかりやすくするために、アースボルト１５のネジ部３は、雌ネジの形成された相手部材と共に示されている。符合３ａはネジ部３の軸線を示し、符合３２はネジ部３のネジ谷部を示し、符合３０は相手部材の雌ネジのネジ谷部を示し、符合３１は相手部材の雌ネジのネジ山部を示す。
【００３６】
図１１において、互いに連接するネジ山部１６に設けられたネジ突起部１７（凹部１７ａと盛り上がり部１７ｂ）は、模式的に同等に示されている。
【００３７】
以下に説明するように、アースボルト１５を回転させると、ネジ突起部１７は図９に示す相手となるナット１８の雌ネジに形成される第２絶縁膜を剥ぎ取る機能を有する。
【００３８】
図１２は、本実施の形態に係るアースボルト１５を使用した例を示す。ここで、絶縁膜２１の厚さと突起部５の大きさを、誇張的に大きく表示されている。図１２において、相手部材２０の両面に絶縁膜２１と絶縁膜２２が形成されている。第２相手部材２３の両側面に絶縁膜２４と絶縁膜２５が形成されている。ただし、外側の絶縁膜２４は、第２相手部材２３にナット１８を溶接して固定し第２相手部材２３とナット１８との通電性を確保した後に、第２相手部材２３を外側から塗装して形成されたものである。絶縁膜２４を塗装して形成する場合に、ナット１８の内側にある雌ネジ部にも塗装され絶縁膜２４と同様の絶縁膜が形成してしまい、アースボルト１５のネジ部３とナット１８との間の通電性が損なわれる。
【００３９】
このような状況下で、相手部材２０と第２相手部材２３とをアースボルト１５とナット１８とで締結する場合を考える。相手部材２０の絶縁膜２１は外部環境にさらされており、水密性が要求され、また、相手部材２０と第２相手部材２３とは通電性が要求されるとする。相手部材２０と第２相手部材２３とは、絶縁膜２２と絶縁膜２５とによって単に接触させただけでは通電性は得られない。また、ナット１８の雌ネジ部には塗装によって絶縁膜２４と同様の絶縁膜が形成されているので、アースボルト１５とナット１８とは何もしなければ通電性は得られない。
【００４０】
このような場合において、ネジ部３の軸線方向に対して螺旋状に配列されたネジ突起部１７によってナット３の雌ネジ部に塗装で形成された第２絶縁膜を確実に剥ぎ取ることが可能になる。
【００４１】
また、アースボルト１５の突起部５によって、突起部５と相手部材２０との通電性が得られるとともに、絶縁膜２１の外部環境とアースボルト１５との間の水密性が得られる。
【００４２】
また、ネジ突起部１７によってナット１８の雌ネジ部に塗装で形成された第２絶縁膜を剥ぎ取ることにより、アースボルト１５とナット１８との間の通電性を得ることができる。
【００４３】
そして、線１９で表示するように、突起部５と相手部材２０との間に通電性が確保され、ネジ部３とナット１８の雌ネジ通電性が確保され、溶接により予め得たナット１８と第２相手部材２３との間の通電性と合わせて、これらの結果、相手部材２０と第２の相手部材２３との間の通電性が確保される。
【００４４】
以上のように、本実施の形態に係るアースボルト１５が突起部５とネジ突起部１７とを併せ持つので、相手部材２０における必要な水密性と、相手部材２０と第２相手部材２３との間の通電性とを、単体であるアースボルト１５によっての確保することが可能になる。
【００４５】
なお、アースボルト１５としては、第１の実施の形態に係るアースボルト１にネジ突起部１７を加えた場合を一例として説明したが、第２の実施の形態乃至第５の実施の形態に係るアースボルト１にネジ突起部１７を加えたものでもよい。
【００４６】
以上述べたように、本願発明の種々の実施の形態によれば、前記突起部の外側に隣接し前記座面から窪んで円環状に形成された第１溝部を備えるので、前記突起部によって剥ぎ取られた前記絶縁膜を第１溝部に収納することができ、剥離された絶縁膜片を飛散放置することを回避することができる。
【００４７】
また、前記突起部の内側に隣接し前記座面から窪んで円環状に形成され、前記突起部によって剥ぎ取られた前記絶縁膜を収納可能な第２溝部を備えるので、前記突起部によって剥ぎ取られた前記絶縁膜を前記突起部の内側と外側の両側で確実に収納することができる。
【００４８】
また、前記第１溝部に対して外側にある外側座面が、前記第１溝部に対して内側にある内側座面よりも前記ネジ部の先端側に向かって高く形成されているので、突起部によって水密性を確保できることに加えて、外側座面によってより確実に水密性を確保することができる。
【００４９】
また、断面視において、前記突起部は三角形状を有し、前記三角形状の頂部を挟む第１辺が前記第１溝部を形成する斜辺を形成するので、突起部によって剥ぎ取られた絶縁膜を前記三角形状の頂部を挟む第１辺によって案内させて、第１溝部に確実に収納することができる。
【００５０】
また、断面視において、前記突起部は三角形状を有し、前記三角形状の頂部を挟む第１辺が前記第１溝部を形成する斜辺を形成し、前記三角形状の頂部を挟む第２辺が前記第２溝部を形成する斜辺を形成するので、突起部によって剥ぎ取られた絶縁膜を前記三角形状の頂部を挟む第１辺と第２辺によって案内させて、第１溝部と第２溝部とに確実に収納することができる。
【００５１】
また、前記座面から突出し前記突起部の外側に円環状に形成され、前記突起部の突起の高さよりも低い突起の高さを有する補助突起部を備えるので、補助突起部によって絶縁膜を深さ方向に一部または全部剥離することで水密性を確保することができ、同時に、突起部によって絶縁膜を深さ方向に十分に剥離することで通電性と水密性を確保することができ、水密性をより確実に確保することができる。
【００５２】
また、前記ネジ部は、ネジ山部に半径方向の外方へ突出し、相手となるナットの雌ネジ部に形成される第２絶縁膜を剥ぎ取り可能なネジ突起部を備えるので、ネジ突起部によって第２相手部材の第２絶縁膜を剥ぎ取ることができ、相手となるナットとの通電性を採ることができ、この結果、突起部とネジ突起部とを介して、本アースボルトとナットとによって互いに締め付けられる相手部材と第２相手部材との間の通電性を確保することが可能になる。
【００５３】
また、前記ネジ突起部は、前記ネジ部の前記ネジ山部毎に複数形成されており、前記複数のネジ突起部は、前記ネジ部の軸線方向に対して螺旋状に配列されているので、ネジ突起部によってナットの雌ネジ部に形成される第２絶縁膜を確実に剥ぎ取ることができる。
【００５４】
また、前記ネジ突起部は、前記ネジ部の前記ネジ山部を押し潰して凹部を形成しこの凹部の両側に形成される盛り上がり部によって形成されているので、ネジ山部を押し潰すだけで簡易にネジ突起部部を形成することができる。
【図面の簡単な説明】
【００５５】
【図１】本発明の第１の実施の形態に係るアースボルトを示す斜視図。
【図２】本発明の第１の実施の形態に係るアースボルトを示す頭部と反対側から見た端面図。
【図３】図１に示すアースボルトの一部断面図。
【図４】図１に示すアースボルトの作用を説明する図。
【図５】本発明の第２の実施の形態に係るアースボルトを示す図。
【図６】本発明の第３の実施の形態に係るアースボルトを示す図。
【図７】本発明の第４の実施の形態に係るアースボルトを示す図。
【図８】本発明の第５の実施の形態に係るアースボルトを示す図。
【図９】本発明の第６の実施の形態に係るアースボルトを示す斜視図。
【図１０】本発明の第６の実施の形態に係るアースボルトを示す側面図。
【図１１】本発明の第６の実施の形態に係るアースボルトのネジ部を示す図。
【図１２】本発明の第６の実施の形態に係るアースボルトの使用例を示す図。
【符号の説明】
【００５６】
１、１５  アースボルト
２  頭部
３  ネジ部
４  座面
５  突起部
６  第１溝部
７  第２溝部
８  第１辺
９  第２辺
１０  外側座面
１１  内側座面
１３  補助突起部
１６  ネジ山部
１７  ネジ突起部
１８  ナット
２０  相手部材
２１、２２、２４、２５  絶縁膜
２３  第２相手部材
【図１】
0005653824.tif 000002
【図２】
0005653824.tif 000003
【図３】
0005653824.tif 000004
【図４】
0005653824.tif 000005
【図５】
0005653824.tif 000006
【図６】
0005653824.tif 000007
【図７】
0005653824.tif 000008
【図８】
0005653824.tif 000009
【図９】
0005653824.tif 000010
【図１０】
0005653824.tif 000011
【図１１】
0005653824.tif 000012
【図１２】
0005653824.tif 000013